(57)【要約】      （修正有）【課題】簡易な構造で、取付および取り外し作業が容易であり、展示物を効率良く際立たせることが可能な展示物保持部材を提供する。【解決手段】保持部材１は、設置部側保持部材７と展示物側保持部材９とから構成される。設置部側保持部材７は、保持部材を設置する部位に両面テープや接着等により接合される。同様に、展示物側保持部材９は、展示用の携帯電話等である展示物の裏面に両面テープや接着等により接合される。設置部側保持部材７の表面側には、凹部２１が形成される。凹部２１は略矩形であり、展示物側保持部材９の形状に対応する。設置部側保持部材７の凹部２１の内面には、磁石２３が設けられる。磁石２３は、凹部２１において、縦方向に複数離間して設けられる。一方、展示物側保持部材９の内部にも、同様に磁石２５が設けられる。磁石２５の配置および数は、設置部側保持部材７の磁石２３と対応する。【選択図】図１
0003159184.tif 000002
【実用新案登録請求の範囲】
【請求項１】
展示物を保持する展示物保持部材であって、
設置部に接合され、磁石を有する設置部側保持部材と、
展示物に接合され、磁石を有する展示物側保持部材と、
を具備し、
前記設置部側保持部材と前記展示物側保持部材とが、互いの磁石によって着脱可能であることを特徴とする展示物保持部材。
【請求項２】
前記設置部側保持部材の表面には凹部が形成され、前記展示物側保持部材は、前記凹部に嵌り込んだ状態で前記設置部側保持部材と磁力で固定されることが可能であることを特徴とする請求項１記載の展示用部材。
【請求項３】
前記凹部の深さよりも前記展示物側保持部材の厚さの方が厚いことを特徴とする請求項２記載の展示用部材。
【請求項４】
前記設置部側保持部材には、磁石が複数併設され、前記展示物側保持部材には、前記設置部側保持部材の磁石に対応する配置で磁石が複数併設され、前記展示物側保持部材のそれぞれの磁石と前記設置部側保持部材の対応する磁石とが引き合うことで、前記展示物側保持部材と前記設置部側保持部材とが所定の向きで固定されることを特徴とする請求項１から請求項３のいずれかに記載の展示用部材。
【考案の詳細な説明】
【技術分野】
【０００１】
本考案は、展示物を保持するための展示物保持部材に関するものである。
【背景技術】
【０００２】
従来、店舗等で展示物（例えば携帯電話など）を展示する際には、展示用の棚に展示物を陳列する方法がある。また、陳列棚等に展示物を保持可能な保持部材を設け、当該保持部材に展示物を載置する方法がある。
【０００３】
このような展示物用の保持部材としては、たとえば、上面が開口した箱状体の背面に、背面と対向する対向板を設け、背面下端から、対向板と背面との間に先端が来るように設けられた可撓性部材を有する展示物品保持具がある（特許文献１）。
【先行技術文献】
【特許文献】
【０００４】
【特許文献１】特開２００９−２８５２０５号公報
【考案の開示】
【考案が解決しようとする課題】
【０００５】
しかし、特許文献１に記載されるような展示物品保持具は、展示物を箱状体内に配置するため、展示物の一部が展示物保持具によって隠れてしまい、展示効果が薄れる。また、展示物の大きさに応じて箱状体の大きさを変える必要がある。また、展示物が箱状体の内部で傾いたり、異なる向きに載置されるなどが生じる恐れがあるため、店員等が随時展示物の配置修正等を行う必要があるという問題がある。
【０００６】
本考案は、このような問題に鑑みてなされたもので、簡易な構造で、取付および取り外し作業が容易であり、展示物を効率良く際立たせることが可能な展示物保持部材を提供することを目的とする。
【課題を解決するための手段】
【０００７】
前述した目的を達成するため、第１の考案は、展示物を保持する展示物保持部材であって、設置部に接合され、磁石を有する設置部側保持部材と、展示物に接合され、磁石を有する展示物側保持部材と、を具備し、前記設置部側保持部材と前記展示物側保持部材とが、互いの磁石によって着脱可能であることを特徴とする展示物保持部材である。
【０００８】
前記設置部側保持部材の表面には凹部が形成され、前記展示物側保持部材は、前記凹部に嵌り込んだ状態で前記設置部側保持部材と磁力で固定されることが可能であることが望ましい。この場合、前記凹部の深さよりも前記展示物側保持部材の厚さの方が厚いことが望ましい。
【０００９】
前記設置部側保持部材には、磁石が複数併設され、前記展示物側保持部材には、前記設置部側保持部材の磁石に対応する配置で磁石が複数併設され、前記展示物側保持部材のそれぞれの磁石と前記設置部側保持部材の対応する磁石とが引き合うことで、前記展示物側保持部材と前記設置部側保持部材とが所定の向きで固定されることが望ましい。
【００１０】
本考案によれば、展示を行う壁面や、別途保持板等である設置部に接合される設置部側保持部材と展示物に接合される展示物側保持部材とが互いに磁石によって引きつけ合うため、展示物の着脱が容易であり、展示物を箱状体等の内部に載置する必要がなく、展示物の前面および側面の全体を視認することができる。
【００１１】
また、設置部側保持部材の表面に凹部を設け、展示物側保持部材が凹部に嵌り込むことが可能であれば、展示物が保持された状態で位置ずれを起こすことがない。この場合、凹部の深さよりも展示物側保持部材の厚さの方が厚いため、展示物側保持部材が凹部に嵌った状態でも設置部側保持部材の表面より突出する。このため、展示物が設置部側保持部材と接触することがない。
【００１２】
また、設置部側保持部材および展示物側保持部材の磁石が複数（例えば一対）併設されることで、展示物を保持板側に取り付ける際に、展示物の取り付け位置および向きを一定にすることができる。
【考案の効果】
【００１３】
本考案によれば、簡易な構造で、取付および取り外し作業が容易であり、展示物を効率良く際立たせることが可能な展示物保持部材を提供することができる。
【図面の簡単な説明】
【００１４】
【図１】保持部材１を示す斜視図。
【図２】設置部側保持部材７と展示物側保持部材９との固定位置を示す図。
【図３】保持部材１の使用状態を示す図。
【考案を実施するための形態】
【００１５】
以下、本考案の実施の形態を詳細に説明する。図１は、本考案の実施の形態にかかる保持部材１を示す斜視図であり、図１（ａ）は、分解斜視図、図１（ｂ）は、組みあわされた状態を示す図である。
【００１６】
保持部材１は、設置部側保持部材７と展示物側保持部材９とから構成される。設置部側保持部材７は、保持部材を設置する部位に両面テープや接着等により接合されて使用される。同様に、展示物側保持部材９は、展示用の携帯電話等である展示物１１の裏面に両面テープや接着等により接合されて使用される。なお、設置部側保持部材７と展示物側保持部材９は例えばＡＢＳ等の樹脂製である。
【００１７】
設置部側保持部材７の表面側（保持板３との接合部とは反対側の面）には、凹部２１が形成される。凹部２１は略矩形であり、展示物側保持部材９の形状に対応する。すなわち、展示物側保持部材９は、凹部２１に嵌り込むことが可能である。なお、凹部２１の深さは、展示物側保持部材９の厚さよりも浅く、展示物側保持部材９を凹部２１に嵌めこんだ際に、展示物側保持部材９が設置部側保持部材７の表面からわずかに突出する。
【００１８】
設置部側保持部材７の凹部２１の内面には、磁石２３が設けられる。磁石２３は、凹部２１において、例えば縦方向に複数（図では１対）離間して設けられる。一方、展示物側保持部材９の内部にも、同様に磁石２５が設けられる。磁石２５の配置および数は、設置部側保持部材７の磁石２３と対応する。したがって、展示物側保持部材９が設置部側保持部材７の凹部２１に嵌った状態で互いの磁石２３、２５が同一の位置に配置される。磁石２３は、設置部側保持部材７の表面側に例えばＮ極となるように配置され、磁石２５は、展示物側保持部材９の裏面側（設置部側保持部材７に固定される側）に例えばＳ極となるように配置され、互いにＮ極およびＳ極が対向するように配置される。このため、設置部側保持部材７と展示物側保持部材９とは互いに着脱（図中矢印Ａ）可能である。なお、磁石２３、２５は、例えばネオジウム磁石である。
【００１９】
図２は、保持部材１の平面図である。図２（ａ）に示すように、例えば、設置部側保持部材７に対して、展示物側保持部材９が側方にずれた部位に位置した場合には、一対の磁石２３と磁石２５とがそれぞれ引きつけ合い、展示物側保持部材９は、設置部側保持部材７の正規の固定位置方向に引きつけられる（図中矢印Ｂ方向）。したがって、多少ずれた位置であっても、展示物側保持部材９は、設置部側保持部材７の常に一定の位置に合わせて引きつけられる。
【００２０】
同様に、図２（ｂ）に示すように、設置部側保持部材７に対して、例えば回転方向にずれた位置に展示物側保持部材９が位置した場合であっても、磁石２３と磁石２５とが引きつけ合い、展示物側保持部材９は、設置部側保持部材７の固定位置方向に引きつけられる（図中矢印Ｃ方向）。したがって、多少ずれた状態であっても、展示物側保持部材９は、設置部側保持部材７の常に一定の位置で一定の向きに合わせて引きつけられる。
【００２１】
次に、保持部材１の使用状態について説明する。図３は、保持部材１の使用状態を示す側面図である。図３（ａ）に示すように、展示物を設置する部位には、例えば保持板３等を接合する。板状の保持板３は、壁面等に接着してもよく、または貼着シート（微細なセルを有するミクロ吸着シート）等によって壁面に取り付けてもよい。また、保持板３を用いずに保持部材１（設置部側保持部材７）を壁面等に直接接合してもよく、その他種々の構成により設置部側保持部材７を設ければよい。
【００２２】
保持板３の表面には設置部側保持部材７が接合される。同様に、展示物１１の裏面に、展示物側保持部材９が接合される。設置部側保持部材７の前面側には、展示物側保持部材９が取り付けられた展示物１１が着脱可能に取り付けられる。
【００２３】
前述の通り、展示物側保持部材９は、設置部側保持部材７の凹部に嵌り、一対の磁石で固定される。このため、展示物１１は、設置部位（保持板３）に対して、常に一定の位置に一定の向きで固定され、位置ずれ等が起こることがない。また、展示物１１を一旦取り外した後、再度保持板側に取り付ける際にも、細かな位置合わせ等が不要であり、磁石によって正規の場所および向きに誘導されるため、取付も容易である。
【００２４】
以上説明したように、本実施の形態にかかる保持部材１によれば、展示物１１を容易に展示でき、展示配置やレイアウトの自由度が高い。また、保持部材１によって、常に一定の位置および向きに展示物が固定されるため、陳列された展示物の見た目がよく、展示物の位置や向きを整える作業が不要である。また、保持部材１を展示物１１よりも小さくすることで、展示物１１が保持板３から浮いているような視覚効果を与えることができる。
【００２５】
また、凹部の深さが展示物側保持部材の厚さよりも浅いため、展示物側保持部材９が設置部側保持部材７の表面からわずかに突出する。このため、展示物１１が設置部側保持部材７と接触することがない。
【００２６】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【００２７】
たとえば、保持部材１の形状や凹部２１の形状等は、図示の例には限られず、種々の形状が適用可能である。
【符号の説明】
【００２８】
１………保持部材
３………保持板
７………設置部側保持部材
９………展示物側保持部材
１１………展示物
２１………凹部
２３………磁石
２５………磁石
【図１】
0003159184.tif 000003
【図２】
0003159184.tif 000004
【図３】
0003159184.tif 000005
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
展示物を保持する展示物保持部材であって、
設置部に接合され、磁石を有する設置部側保持部材と、
展示物に接合され、磁石を有する展示物側保持部材と、
を具備し、
前記設置部側保持部材と前記展示物側保持部材とが、互いの磁石によって着脱可能であることを特徴とする展示物保持部材。
【請求項２】
前記設置部側保持部材の表面には凹部が形成され、前記展示物側保持部材は、前記凹部に嵌り込んだ状態で前記設置部側保持部材と磁力で固定されることが可能であることを特徴とする請求項１記載の展示物保持部材。
【請求項３】
前記凹部の深さよりも前記展示物側保持部材の厚さの方が厚いことを特徴とする請求項２記載の展示物保持部材。
【請求項４】
前記設置部側保持部材には、磁石が複数併設され、前記展示物側保持部材には、前記設置部側保持部材の磁石に対応する配置で磁石が複数併設され、前記展示物側保持部材のそれぞれの磁石と前記設置部側保持部材の対応する磁石とが引き合うことで、前記展示物側保持部材と前記設置部側保持部材とが所定の向きで固定されることを特徴とする請求項１から請求項３のいずれかに記載の展示物保持部材。